(57)【要約】【課題】使用者の検索意図に最大限に応じる検索サービスを提供する。【解決手段】本発明は検索システム及びその方法に関するものであって、本検索システムは、使用者端末機から入力された検索語を分析してサイト関連語および副検索語に分類する検索語分析部と、検索語分析部からサイト関連語に対応するネットワークアドレスおよび副検索語を受け、ネットワークアドレスに対応するウェブサイトに副検索語に対する検索を要請する第１検索部と、ウェブサイトから提供される第１検索結果を含むウェブページを生成して使用者端末機に提供する検索結果提供部とを含む。【選択図】図１
2008165785.tif 000002
【特許請求の範囲】
【請求項１】
使用者端末機から入力された検索語を分析してサイト関連語及び副検索語に分類する検索語分析部と、
前記検索語分析部から前記サイト関連語に対応するネットワークアドレス及び前記副検索語を受け、前記ネットワークアドレスに対応するウェブサイトに前記副検索語に対する検索を要請する第１検索部と、
前記ウェブサイトから提供される第１検索結果を含むウェブページを生成して前記使用者端末機に提供する検索結果提供部と、を有することを特徴とする検索システム。
【請求項２】
前記ネットワークアドレス及びこれに対応する少なくとも一つのサイト関連語を含むサイト目録を記憶するサイト目録データベースをさらに有し、
前記検索語分析部は、前記サイト関連語を前記サイト目録データベースに照会して前記サイト関連語に対応する前記ネットワークアドレスを抽出することを特徴とする請求項1に記載の検索システム。
【請求項３】
前記サイト目録は、前記サイト関連語と関連する少なくとも一つの単語を含み、前記検索語分析部は、前記副検索語が前記少なくとも一つの単語に含まれる場合に、前記第１検索部に前記副検索語を提供することを特徴とする請求項２に記載の検索システム。
【請求項４】
検索目録を含む検索データベースと、
前記検索語を前記検索データベースに照会して前記検索語を含む索引語を有する検索目録を前記検索データベースから抽出し、第２検索結果として前記検索結果提供部に伝送する第２検索部と、を更に有することを特徴とする請求項1に記載の検索システム。
【請求項５】
前記検索結果提供部は、前記第２検索部から前記第２検索結果を受け、前記第２検索結果を更に含む前記ウェブページを生成して前記使用者端末機に提供することを特徴とする請求項４に記載の検索システム。
【請求項６】
前記検索結果提供部は、前記第１検索結果を前記ウェブページにアイフレーム形式で挿入することを特徴とする請求項1に記載の検索システム。
【請求項７】
使用者端末機から入力された検索語を分析してサイト関連語及び副検索語に分類し、前記サイト関連語に対応するネットワークアドレスを抽出する段階と、
前記ネットワークアドレスに対応するウェブサイトに前記副検索語に対する検索を要請する段階と、
前記ウェブサイトから提供される第１検索結果を含むウェブページを生成して前記使用者端末機に提供する段階と、を含むことを特徴とする検索方法。
【請求項８】
前記ネットワークアドレス及びこれに対応する少なくとも一つのサイト関連語を含むサイト目録を記憶する段階を更に含み、
前記ネットワーク抽出段階は、
前記サイト目録を照会して前記サイト関連語に対応する前記ネットワークアドレスを抽出する段階を含むことを特徴とする請求項７に記載の検索方法。
【請求項９】
前記サイト目録は、前記サイト関連語と関連する少なくとも一つの単語を含み、
前記検索要請段階は、前記副検索語が前記少なくとも一つの単語に含まれる場合に遂行されることを特徴とする請求項８に記載の検索方法。
【請求項１０】
検索目録を維持する段階と、
前記検索目録から前記検索語を含む索引語を有する検索目録を抽出し、第２検索結果として前記使用者端末機に提供する段階と、を更に含むことを特徴とする請求項７に記載の検索方法。
【請求項１１】
前記第１検索結果提供段階は、前記第２検索結果を更に含む前記ウェブページを生成して前記使用者端末機に提供する段階を含むことを特徴とする請求項1０に記載の検索方法。
【請求項１２】
前記第１検索結果は、前記ウェブページにアイフレーム形式で挿入されることを特徴とする請求項７に記載の検索方法。
【請求項１３】
請求項７から１２のいずれか一項に記載の検索方法を実行させるためのプログラムを記録したコンピュータ読取可能な記録媒体。
【発明の詳細な説明】
【技術分野】
【０００１】
本発明は、検索システム及びその方法に関し、より詳しくは、複数の検索語が入力される場合、使用者の意図に応じた検索結果を提供できる検索システム及びその方法に関する。
【背景技術】
【０００２】
最近、超高速インターネットが急速に普及することに伴い、インターネットは現代生活になくてはならない必需品となっている。インターネットを利用する大部分の使用者は、ブラウザーを通じてインターネットに接続した後、インターネットポータルサイトを通じて情報を検索する。使用者がインターネットポータルの検索窓に検索語を入力すると、インターネットポータルはデータベースで検索語に対応する多様な情報を抽出して検索結果として使用者に提供する。抽出された情報は辞書、知識情報（例えば、ネイバーの知識ｉＮ）、ブログ、カフェ、専門資料、サイト、本、ニュース、ウェブページ、動画などのようなカテゴリーに分けられ、使用者に伝送されて表示される。
【０００３】
一般に、インターネットポータルは、自身のデータベースを有してインターネット検索サービスを提供しているが、外部データベースをクロール（ＣＲＡＷＬ）したり、他インターネット検索サービス業者との提携を通じて検索結果を使用者に提供する場合もある。また、インターネットポータル以外にも多くのウェブサイトが自身の検索機能を具備しており、使用者から入力される検索語に対する検索結果を当該ウェブサイトの特性に合うように構成（加工）して提供している。
【０００４】
また、使用者が複数の検索語を入力して検索要請を行う場合、インターネットポータルは、単に複数の検索語が全て含まれている文書を検索結果として使用者に提供する。しかしながら、複数の検索語が互いに関連性があったり、複数の検索語に特定の検索語が含まれている場合、このような検索結果を単に提供することは使用者に適切ではないこともある。つまり、このような場合には使用者がある意図を有して検索を要請したと言えるが、既存の検索結果のみを提供する手法では、使用者の意図に応じた検索結果を好適に提供するものと言えない。
【発明の開示】
【発明が解決しようとする課題】
【０００５】
そこで、本発明が解決しようとする課題は、使用者から複数の検索語が入力される場合、他インターネットサイトの検索結果も共に提供することによって、より多様な検索結果を使用者に提供できる検索システムおよびその方法を提供することにある。
【０００６】
また、本発明が解決しようとする他の課題は、使用者から複数の検索語が入力される場合、使用者の検索意図に最大限に応じた検索結果を提供でき、特に、使用者から最初の１回の入力された検索語のみでも使用者が願望する検索結果を正確に提供できる検索システムおよびその方法を提供することにある。
【課題を解決するための手段】
【０００７】
このような技術的課題を解決するための本発明の１つの側面における検索システムは、使用者端末機から入力された検索語を分析してサイト関連語及び副検索語に分類する検索語分析部と、前記検索語分析部から前記サイト関連語に対応するネットワークアドレス及び前記副検索語を受け、前記ネットワークアドレスに対応するウェブサイトに前記副検索語に対する検索を要請する第１検索部と、前記ウェブサイトから提供される第１検索結果を含むウェブページを生成して前記使用者端末機に提供する検索結果提供部とを有することを特徴とする。
【０００８】
また、前記ネットワークアドレス及びこれに対応する少なくとも一つのサイト関連語を含むサイト目録を記憶するサイト目録データベースをさらに有することができ、前記検索語分析部は、前記サイト関連語を前記サイト目録データベースに照会して前記サイト関連語に対応する前記ネットワークアドレスを抽出することができる。
【０００９】
また、前記サイト目録は、前記サイト関連語と関連する少なくとも一つの単語を含むことができ、前記検索語分析部は、前記副検索語が前記少なくとも一つの単語に含まれる場合に、前記第１検索部に前記副検索語を提供することができる。
【００１０】
また、検索目録を含む検索データベースと、前記検索語を前記検索データベースに照会して前記検索語を含む索引語を有する検索目録を前記検索データベースから抽出し、第２検索結果として前記検索結果提供部に伝送する第２検索部とを更に有することができる。
【００１１】
また、前記検索結果提供部は、前記第２検索部から前記第２検索結果を受け、前記第２検索結果を更に含む前記ウェブページを生成して前記使用者端末機に提供することができる。
【００１２】
また、前記検索結果提供部は、前記第１検索結果を前記ウェブページにアイフレーム形式で挿入することができる。
【００１３】
また、本発明の他の側面における検索方法は、使用者端末機から入力された検索語を分析してサイト関連語および副検索語に分類し、前記サイト関連語に対応するネットワークアドレスを抽出する段階と、前記ネットワークアドレスに対応するウェブサイトに前記副検索語に対する検索を要請する段階と、前記ウェブサイトから提供される第１検索結果を含むウェブページを生成して前記使用者端末機に提供する段階とを含むことを特徴とする。
【００１４】
また、前記ネットワークアドレス及びこれに対応する少なくとも一つのサイト関連語を含むサイト目録を記憶する段階を更に含むことができ、前記ネットワーク抽出段階は、前記サイト目録を照会して前記サイト関連語に対応する前記ネットワークアドレスを抽出する段階を含むことができる。
【００１５】
また、前記サイト目録は前記サイト関連語と関連する少なくとも一つの単語を含むことでき、前記検索要請段階は、前記副検索語が前記少なくとも一つの単語に含まれる場合に遂行されることができる。
【００１６】
また、検索目録を維持する段階と、前記検索目録中から前記検索語を含む索引語を有する検索目録を抽出し、第２検索結果として前記使用者端末機に提供する段階とを更に含むことができる。
【００１７】
また、前記第１検索結果提供段階は、前記第２検索結果を更に含む前記ウェブページを生成して前記使用者端末機に提供する段階を含むことができる。
【００１８】
また、前記第１検索結果は、前記ウェブページにアイフレーム形式で挿入されることができる。
【００１９】
また、本発明の他の実施例によるコンピュータ読取可能な記録媒体は、上記検索方法のいずれか一つをコンピュータに実行させるためのプログラムを記録する。
【発明の効果】
【００２０】
本発明によれば、インターネットポータル自身の検索データベースによる検索結果に加え、他インターネットサイトの検索結果も共に提供するため、より多様な検索結果を使用者に提供することが可能となる。
【００２１】
また、使用者から入力された検索語と関連度の高いウェブサイトで提供する検索結果を反映することによって、使用者の検索意図に最大限に応じた検索結果を提供することが可能となる。特に、使用者からの最初の１回入力された検索語のみでも使用者が願望する検索結果を正確に提供することが可能となる。
【発明を実施するための最良の態様】
【００２２】
以下、添付した図面を参照しながら、本発明の実施例について本発明が属する技術分野における通常の知識を有する者が容易に実施できるように詳しく説明する。
【００２３】
図１及び図２を参照しながら、本発明の実施例に係る検索システムについて詳細に説明する。
【００２４】
図１は、本発明の実施例に係る検索システムを説明するためのブロック図であり、図２は、図１に示した検索サーバーの一例を示すブロック図である。
【００２５】
図１に示すように、本発明の実施例に係る検索システム１００は、互いに連結されている検索サーバー１１０と、サイト目録データベース１２０と、検索データベース１３０とを含み、通信網１０を通じて複数の使用者端末機２００と複数のウェブサイト３００に連結されている。
【００２６】
使用者端末機２００は、使用者がインターネット検索を行うために検索システム１００と通信する装置であって、通信網１０を通じて情報のやり取りを行う。使用者端末機２００は、デスクトップコンピュータのみならず、ノートパソコン、ワークステーション、パームトップ（ｐａｌｍｔｏｐ）コンピュータ、個人携帯情報端末機（ｐｅｒｓｏｎａｌ ｄｅｇｉｔａｌ ａｓｓｉｓｔａｎｔ、ＰＤＡ）、ウェブパッド等のメモリ手段を備え、マイクロプロセッサを搭載した演算能力を有する端末機である。
【００２７】
ウェブサイト３００は、インターネットで使用者が情報を必要とする際に、いつでも情報を提供することができるようにウェブサーバー（図示せず）に情報を保存している集合体であって、当該情報を使用者がより便利に探して利用できるように自主的に検索結果を提供できる。ウェブサイト３００は、通信網１０を通じて使用者端末機２００と直接連結されて検索結果を提供できるが、本発明では、検索システム１００を通じて検索結果を提供することも可能である。
【００２８】
通信網１０は、構内情報通信網（ｌｏｃａｌ ａｒｅａ ｎｅｔｗｏｒｋ、ＬＡＮ）、都市圏通信網（ｍｅｔｒｏｐｏｌｉｔａｎ ａｒｅａ ｎｅｔｗｏｒｋ、ＭＡＮ）、広域通信網（ｗｉｄｅ ａｒｅａ ｎｅｔｗｏｒｋ、ＷＡＮ）、インターネット等の多様なネットワーク形態を適用でき、通信方式も有線、無線を問わず如何なる通信方式でもあってもよい。
【００２９】
サイト目録データベース１２０は、検索結果を自主的に提供できるウェブサイト３００と関連するサイト目録（サイトリスト）を格納する。サイト目録は、各ウェブサイト３００のネットワークアドレスと各ウェブサイト３００に対応する少なくとも一つのサイト関連語を含む。ここで、サイト関連語は、特定のウェブサイト３００に関連する単語を意味し、当該ウェブサイト３００の名前やその同意語が使用される。ウェブサイト３００のネットワークアドレスは、当該ウェブサイト３００のドメインアドレス又はＩＰアドレス（ｉｎｔｅｒｎｅｔｐｒｏｔｏｃｏｌ ａｄｄｒｅｓｓ）が使用される。例えば、韓国放送公社のウェブサイトは、‘韓国放送公社’、‘ＫＢＳ’、‘ケービーエス’、‘韓国放送’等がサイト関連語として使用され、‘www．kbs．co．kr’がウェブサイトネットワークアドレスとして使用される。
【００３０】
サイト目録は、ウェブ上を周期的に巡回しながらウェブサイト３００の情報を自動的に収集する機能を遂行するウェブロボット（Ｗｅｂ ｒｏｂｏｔ、図示せず）によって収集したり、本検索システム１００の運営者によりサイト目録データベース１２０に直接入力することも可能である。ウェブロボットは、ウェブ上で検索機能を提供するウェブサイト３００を探して当該ウェブサイト３００の名前及びネットワークアドレスを収集し、サイト目録データベース１２０に保存するソフトウェアにより具現される。
【００３１】
検索データベース１３０は、検索ロボット（図示せず）によりウェブ上で収集された各種ウェブページに関する情報を格納する。ウェブページ情報は、検索システム１００自身の基準により複数の検索目録（検索リスト）に整理されて保存される。各検索目録は題名（ｔｉｔｌｅ）、ＵＲＬ、ウェブページに関する説明及び索引語などを含むことができる。ここで題名とは、当該ウェブページに対して与えられた名前であり、ＵＲＬは当該ウェブページのネットワークアドレスである。
【００３２】
図２に示すように、検索サーバー１１０は、検索語分析部１１２と、第１及び第２検索部１１４、１１６と、検索結果提供部１１８とを含み、検索窓を含むウェブページを使用者端末機２００に提供して使用者から検索語を受信し、検索語に対して適切な検索動作を行った後、検索結果を使用者に提供する。なお、検索語分析部１１２、第１及び第２検索部１１４、１１６、そして、検索結果提供部１１８のうちの少なくともいずれか一つは検索サーバー１１０の外部に位置すること、すなわち、検索サーバー１１０のとは個別に別途のサーバー（図示せず）に含まれるように構成することも可能である。
【００３３】
検索語分析部１１２は、使用者から受信した検索語を、パーシングなどを通じて分析する。検索語分析部１１２は、検索語が複数であるのか否かを判断し、複数の検索語が入力された場合、各検索語をサイト目録データベース１２０に照会して複数の検索語のうちでサイト関連語があるのか否か判断する。検索語分析部１１２は、複数の検索語のうちでサイト関連語があると判断した場合は、複数の検索語のうちで当該サイト関連語を除いた検索語（以下、“副検索語”という）と当該ウェブサイト３００のネットワークアドレスを第１検索部１１４に提供する。また、検索語分析部１１２は、受信した検索語を第２検索部１１６に提供する。
【００３４】
第１検索部１１４は、検索語分析部１１２から受信したネットワークアドレスを参照して当該ウェブサイト３００に接続する。そして、接続したウェブサイト３００の検索ページに含まれている検索窓に副検索語を入力して副検索語についての検索要請を行い、当該ウェブサイト３００から検索結果の提供を受ける。その後、当該ウェブサイト３００から提供された検索結果を検索結果提供部１１８に伝送する。第１検索部１１４と当該ウェブサイト３００は、ＨＴＭＬ（ｈｙｐｅｒｔｅｘｔｍａｒｋｕｐ ｌａｎｇｕａｇｅ）又はＸＭＬ（ｅｘｔｅｎｓｉｂｌｅ ｍａｒｋｕｐ ｌａｎｇｕａｇｅ）で作成されたデータのやり取りを行うことができる。
【００３５】
例えば、使用者から入力された検索語が‘ＫＢＳ冬のソナタ’であれば、検索語分析部１１２は、入力された検索語をパーシングして検索語を‘ＫＢＳ’と‘冬のソナタ’に分離し、分離した各検索語に対してサイト目録データベース１２０に照会する。‘ＫＢＳ’がサイト関連語として登録されているので、検索語分析部１１２は、サイト関連語‘ＫＢＳ’に対するネットワークアドレス‘www．kbs．co．kr’をサイト目録データベース１２０から抽出し、副検索語‘冬のソナタ’と共に第１検索部１１４に伝送する。そして、第１検索部１１４は、韓国放送公社のウェブサイト３００‘www．kbs．co．kr’に接続して‘冬のソナタ’に対する検索結果を要請し、これに対する検索結果を受信する。
【００３６】
第２検索部１１６は、検索語分析部１１２から使用者が入力した検索語を受信すると、検索データベース１３０を照会して受信した検索語が含まれている索引語を有する検索目録を検索データベース１３０から抽出する。その後、第２検索部１１６は、抽出した検索目録を使用者が入力した検索語に対する検索結果として検索結果提供部１１８に提供する。
【００３７】
検索結果提供部１１８は、第１及び第２検索部１１４、１１６から検索結果を受け、各検索結果を含むウェブページを所定の方式により生成して使用者端末機２００に提供する。
【００３８】
検索結果提供部１１８が検索結果を含むウェブページを生成する方式の一例を、図３を参照して説明する。
【００３９】
図３は、本発明の実施例に係る検索システムでの検索結果として提供されるウェブページの一例を示す図面であり、使用者が‘ＫＢＳ 冬のソナタ’を検索語として入力した場合を例示している。
【００４０】
図３に示すように、第１検索部１１４から受信した検索結果４２０がウェブページ４００の上段に配置されており、第２検索部１１６から受信した検索目録４１０がウェブページ４００の下段に配置されている。
【００４１】
検索結果４２０は、韓国放送公社のウェブサイト３００‘www．kbs．co．kr’の検索窓に‘冬のソナタ’を検索語として入力した際の、当該ウェブサイト３００が提供する検索結果とその内容が実質的に同一である。検索結果提供部１１８は、ウェブサイト３００から受信した検索結果４２０をＩＦｒａｍｅ（ｉｎｌｉｎｅｆｒａｍｅ）方式でウェブページ４００に挿入することができる。ＩＦｒａｍｅはメインウェブ文書の内部に他のＨＴＭＬ文書の挿入を可能にするＨＴＭＬコンポーネントである。ＩＦｒａｍｅ方式で挿入された検索結果４２０は、当該ウェブサイト３００で提供する形態のまま使用者に表示され、利用される。もちろん、検索結果提供部１１８で検索結果４２０自体の基準に合わせて変更した後に、提供することも可能である。例えば、検索結果４２０内にショートカット又はレビューボタンを追加したり、内容を追加することができる。
【００４２】
一方、図３では第１検索部１１４から受信した検索結果４２０がウェブページ４００の上段に配置された一例を示したが、必要に応じて検索結果４２０の配置位置を変更することもできる。ウェブサイト３００から提供される検索結果４２０をウェブページ４００の下段に配置して使用者に提供することもでき、ウェブページ４００を左右に分割して左側又は右側に検索結果４２０を配置することもできる。
【００４３】
一方、使用者が入力した検索語においてサイト関連語と副検索語の順序は関係性はない。つまり、‘ＫＢＳ冬のソナタ’で入力しても‘冬のソナタＫＢＳ’で入力しても同一の検索結果を使用者に提供することができる。
【００４４】
また、より正確な検索結果を提供するために、所定の副検索語に対して本発明の実施例による検索方式を許容することができる。例えば‘冬のソナタ’を‘ＫＢＳ’で提供するように、使用者は副検索語に対応するコンテンツをサイト関連語に対応するウェブサイト３００で提供すると仮定して検索語を入力するものと推測される。従って、当該ウェブサイト３００で提供するコンテンツと関連する単語を予め登録しておき、使用者が入力した副検索語がこれに該当すれば、本発明の実施例での同一の検索動作を遂行して使用者に検索結果を提供することができる。
【００４５】
一般に、サイト関連語に対応するウェブサイト３００で副検索語に対応するコンテンツを提供する可能性が非常に高いので、サイト関連語と副検索語は非常に密接な関係を有すると推測することができる。従って、使用者が互いに関連ある検索語を入力し、その中にサイト関連語が含まれている場合、本発明の実施例による検索システムによる検索結果を提供することで、使用者の意図に好適に対応でき、使用者は検索結果に対してより一層の満足を享受できる。
【００４６】
次に、図４を参考として本発明の実施例による検索システム１００の動作についてより詳細に説明する。
【００４７】
図４は本発明の実施例に係る検索システムの動作を説明するフローチャートである。
【００４８】
先ず、動作が開始されて使用者端末機２００から検索語を受信すると（Ｓ５１０）、検索語分析部１１２はパーシングなどを通じて検索語を分析する（Ｓ５２０）。
【００４９】
検索語分析部１１２は、使用者から入力された検索語を第２検索部１１６に伝送し、第２検索部１１６が検索語に対して検索データベース１３０を照会する（Ｓ５３０）。段階Ｓ５３０は使用者から検索語が受信された後から使用者に検索結果を提供するまでいつでも遂行でき、いつ遂行されても全体動作に大きい影響を与えない。
【００５０】
検索語分析部１１２は、分析された検索語が複数個であるのか否かを判断し（Ｓ５４０）、複数の検索語が入力されたものと判断した場合、各検索語をサイト目録データベース１２０に照会して複数の検索語のうちサイト関連語があるのか否かを判断する（Ｓ５５０）。
【００５１】
判断の結果、検索語のうちでサイト関連語があれば、当該サイト関連語に対応するネットワークアドレス及び副検索語を第１検索部１１４に伝送する。そして、第１検索部１１４は、ネットワークアドレスに対応するウェブサイト３００に接続して副検索語に対する検索要請を行った後（Ｓ５６０）、当該ウェブサイト３００から検索結果の提供を受ける（Ｓ５７０）。段階Ｓ５４０で検索語が複数ではないと判断したり、段階Ｓ５５０で検索語の中にサイト関連語がないと判断した場合には、第１検索部１１４が外部のウェブサイト３００に検索要請を行う処理は省略される。
【００５２】
検索結果提供部１１８は、第１及び第２検索部１１４、１１６から検索結果を受信して検索結果を含むウェブページを所定の方式により生成して使用者端末機２００に提供する（Ｓ５８０）。ここで、検索結果提供部１１８は、第１検索部１１４から検索結果を受信しない場合、第２検索部１１６の検索結果のみでウェブページを生成して使用者端末機２００に提供することになる。
【００５３】
本発明の実施例は多様なコンピュータで具現される動作を行うためのプログラム命令を含むコンピュータで読取可能な記録媒体を含む。当該記録媒体は、上述したように本発明の実施例による検索方法を実行させるためのプログラム又はプロセスを記録する。この記録媒体はプログラム命令、データファイル、データ構造などを単独又は組み合わせて含むことができる。このような記録媒体の例としては、ハードディスク、フロッピー（登録商標）ディスク及び磁気テープのような磁気媒体、ＣＤおよびＤＶＤのような光記録媒体、フロプティカルディスク（ｆｌｏｐｔｉｃａｌｄｉｓｋ）と磁気-光媒体、ＲＯＭ、ＲＡＭ、フラッシュメモリなどのようなプログラム命令を保存し遂行するように構成されたハードウェア装置などがある。また、このような記録媒体は、プログラム命令、データ構造などを指定する信号を伝送する搬送波を含む光又は金属線、導波管などの伝送媒体であってよい。プログラム命令の例としては、コンパイラーにより作られるような機械語コードだけでなく、インタープリタなどを使用してコンピュータにより実行され得る高級言語コードを含む。
【００５４】
以上、本発明の詳細な説明では具体的な実施形態について説明したが、本発明の要旨から逸脱しない範囲内で多様に変形できる。よって、本発明の権利範囲は、上述の実施形態に限定されるものではなく、特許請求の範囲の記載及びこれと均等なものに基づいて定められるべきである。
【図面の簡単な説明】
【００５５】
【図１】本発明の実施例による検索システムを説明するためのブロック図である。
【図２】図１に示した検索サーバーの一例を示すブロック図である。
【図３】本発明の実施例による検索システムで検索結果として提供するウェブページの一例を示す図面である。
【図４】本発明の実施例による検索システムの動作を説明するフローチャートである。
【符号の説明】
【００５６】
１０  ：通信網
１００：検索システム
１１０：検索サーバー
１１２：検索語分析部
１１４：第１検索部
１１６：第２検索部
１１８：検索結果提供部
１２０：サイト目録データベース
１３０：検索データベース
２００：使用者端末機
３００：ウェブサイト
【図１】
2008165785.tif 000003
【図２】
2008165785.tif 000004
【図３】
2008165785.tif 000005
【図４】
2008165785.tif 000006